(57)【要約】【課題】作業時に作業者にかかる負担を小さくすることができる二重床の支持脚及び施工方法を提供する。【解決手段】支持脚におけるベース部材１０は、床スラブに載置されるベースプレート１１を有し、ベースプレート１１にねじ軸１２が立設されている。ねじ軸１２における外周面には、ねじ軸１２の軸方向に沿った溝部１３が形成されている。【選択図】図２
2018178473.tif 000002
【特許請求の範囲】
【請求項１】
床パネル及び床スラブを備える二重床における前記床パネルを所定高さに保持するための二重床の支持脚であって、
前記床スラブに載置されるベースプレートを有し、前記ベースプレートにねじ軸が立設されており、
前記ねじ軸における外周面には、前記ねじ軸の軸方向に沿った溝部が形成されていることを特徴とする二重床の支持脚。
【請求項２】
前記溝部は、前記ねじ軸の頂部から切り欠かれて形成されている請求項１に記載の二重床の支持脚。
【請求項３】
前記ねじ軸及び前記ベースプレートを貫通する貫通孔が形成されている請求項１または２に記載の二重床の支持脚。
【請求項４】
前記溝部が、前記ねじ軸の周方向に離間して複数形成されている請求項１〜３のうちのいずれか１項に記載の二重床の支持脚。
【請求項５】
請求項１〜４のうちのいずれか１項の二重床の支持脚を床スラブに配置し、
前記溝部に接着剤を注入した後、
前記ねじ軸に床パネルを前記ねじ軸の固定して、前記二重床の支持脚に前記床パネルを保持させることを特徴とする二重床の施工方法。
【発明の詳細な説明】
【技術分野】
【０００１】
本発明は、二重床の支持脚及び施工方法に関する。
【背景技術】
【０００２】
近年のオフィスなどにおいては、いわゆるフリーアクセスフロアを有する二重床が設けられる例が多い。このような二重床は、例えば、矩形状の床パネルを複数枚の床スラブから所定の高さ位置に保持して形成される。複数枚の床スラブは、例えば、４枚の床パネルが集められた位置に配置される支持脚によって支持されている。
【０００３】
このような二重床に用いられる支持脚として、従来、床に載置される下台座と、下台座から立設されたねじ軸と、同ねじ軸に螺合するねじスリーブを下面に有し、上面で床パネルを支持する上台座とからなる二重床用パネルの支持脚をがある（例えば、特許文献１参照）。この支持脚は、上台座はねじスリーブの軸線に対して直角な方向に突出し、その上面に床パネルを載置する載置部が形成された支承部を備えており、ねじスリーブに螺設されたねじ部が少なくとも支承部の形成部位よりも上部位置にまで形成されているものである。
【先行技術文献】
【特許文献】
【０００４】
【特許文献１】特開平７−１９７６２９号公報
【発明の概要】
【発明が解決しようとする課題】
【０００５】
しかし、上記特許文献１に開示された支持脚では、上台座の高さ位置を調整するために、ねじ軸の側方から、ストップボルトでスリーブをねじ軸に対して固定するようにしている。このため、ストップボルトの固定するためにねじ軸の側方からの作業を要することになるため、その分、作業者にかかる負担が大きくなる問題があった。特に、支持脚は、床部に設けられることから、ねじ軸の側方からの作業は、作業者にかかる負担がより大きくなるという問題があった。
【０００６】
そこで、本発明が解決しようとする課題は、作業時に作業者にかかる負担を小さくすることができる二重床の支持脚及び施工方法を提供することである。
【課題を解決するための手段】
【０００７】
本発明に係る二重床の支持脚は、床パネル及び床スラブを備える二重床における前記床パネルを所定高さに保持するための二重床の支持脚であって、前記床スラブに載置されるベースプレートを有し、前記ベースプレートにねじ軸が立設されており、前記ねじ軸における外周面には、前記ねじ軸の軸方向に沿った溝部が形成されていることを特徴とする。
【０００８】
本発明に係る二重床の支持脚においては、ベースプレートに立設されたねじ軸における外周面にねじ軸の軸方向に沿った溝部が形成されている。この溝部に接着剤を流し込むことにより、接着剤によってねじ軸にスリーブなどを固定することができる。このため、ストップボルトを用いる場合のようにねじ軸の側方からの作業を無くすことができる。したがって、作業時に作業者にかかる負担を小さくすることができる。
【０００９】
また、本発明に係る二重床の支持脚において、前記溝部は、前記ねじ軸の頂部から切り欠かれて形成されているようにしてもよい。
【００１０】
このように、溝部がねじ軸の頂部から切り欠かれて形成されていることにより、溝部に接着剤を流し込む作業は、ねじ軸の上方から確実に行うことができる。したがって、作業時に作業者にかかる負担をより小さくすることができる。
【００１１】
また、本発明に係る二重床の支持脚において、前記ねじ軸及び前記ベースプレートを貫通する貫通孔が形成されているようにしてもよい。
【００１２】
このように、ねじ軸及びベースプレートを貫通する貫通孔が形成されていることにより、貫通孔を通じて、ベースプレートの裏面側にまで接着剤を行き渡らせることができる。したがって、接着剤を上から流し込むことで支持脚のベースプレートをスラブ床に固定することができるので、作業時に作業者にかかる負担をより小さくすることができる。
【００１３】
また、本発明に係る二重床の支持脚において、前記溝部が、前記ねじ軸の周方向に離間して複数形成されているようにしてもよい。
【００１４】
このように、溝部がねじ軸の周方向に離間して複数形成されていることにより、接着剤などにより、ねじ軸に対してスリーブなどを確実に固定することができる。
【００１５】
また、本発明に係る二重床の施工方法は、上記のいずれかの二重床の支持脚を床スラブに配置し、前記溝部に接着剤を注入した後、前記ねじ軸に床パネルを前記ねじ軸を固定して、前記二重床の支持脚に前記床パネルを保持させることを特徴とする。
【発明の効果】
【００１６】
本発明に係る二重床の支持脚及び施工方法によれば、作業時に作業者にかかる負担を小さくすることができる。
【図面の簡単な説明】
【００１７】
【図１】二重床の支持脚を含む支持構造の分解斜視図である。
【図２】支持脚の斜視図である。
【図３】支持脚の平面図である。
【図４】二重床の施工手順を説明する図である。
【発明を実施するための形態】
【００１８】
以下、本発明の一実施形態に係る二重床の支持脚及び施工方法について、図面を参照し具体的に説明する。図１は、二重床の支持脚を含む支持構造の分解斜視図、図２は、支持脚の斜視図、図３は、支持脚の平面図である。図１に示すように、二重床の支持構造Ｍは、床スラブに載置される支持脚１を備えている。支持脚１は、ベース部材１０及び台座２０を備えている。さらに、支持構造Ｍは、支持脚１の上に設けられるロックベース３０及びロックプレート４０を備えている。
【００１９】
支持構造Ｍは、床スラブから上方に離間して配置される複数の床パネルのうち、４枚の床パネルの端部が集められた位置に配置される。支持構造Ｍは、ロックベース３０及びロックプレート４０で床パネルを挟み込むことによって床パネルを所定高さに保持する。支持脚１は、床パネル及び床スラブを備える二重床における床パネルを所定高さに保持するものである。
【００２０】
図２にも示すように、支持脚１におけるベース部材１０は、ベースプレート１１を備えており、ベースプレート１１には、ねじ軸１２が立設されている。ベースプレート１１における四隅には、それぞれベースプレートねじ止め孔１１Ａが形成されている。ねじ軸１２の外周面には、３本の溝部１３がねじ軸１２の周方向に離間して形成されている。図３に示すように、３本の溝部１３は、ねじ軸１２の頂部から切り欠かれて形成されており、ねじ軸１２を平面視した円形部分に略等間隔に配置されている。これらの３本の溝部１３は、ねじ軸１２の半径方向に切り込まれており、いずれもねじ軸１２の頂部から高さ方向略中央位置まで延在している。
【００２１】
また、ねじ軸１２の頂部における中央部にはねじ軸開口部１４が形成されており、ねじ軸１２にはねじ軸１２の軸方向に沿った貫通孔１５が形成されている。貫通孔１５は、ねじ軸開口部１４に連通しており、ねじ軸１２の頂部から底部までを貫通するとともにベースプレート１１をも貫通している。ねじ軸１２における頂部の高さは、周囲のねじ部分よりもわずかに低い高さ位置とされている。
【００２２】
台座２０は、板状の台座部２１を備えている。台座部２１は、平面視して略正八角形状をなしている。ただし、台座部２１は、他の形状であってもよい。台座部２１の下面には、スリーブ２２が取り付けられている。スリーブ２２は、筒状をなしており、ベース部材１０のねじ軸１２の軸方向に沿って延在している。スリーブ２２の内側面には、ねじ軸１２がねじ込まれるねじ溝が形成されている。
【００２３】
台座部２１の上面には、クッション材２３が設けられている。さらに、台座部２１及びクッション材２３の中央部には、ねじ軸１２の頂部に形成されたねじ軸開口部１４に連通する台座開口部２４が形成されている。また、台座部２１の端部における対向する２箇所には、台座部ねじ止め孔２１Ａが形成されている。
【００２４】
また、図１に示すように、台座２０には、ロックベース３０が取り付けられている。ロックベース３０は、ベース部３１を備えている。ベース部３１は、平面視して円形状をなしており、中央に開口部が形成されている。ベース部３１には、４枚の板状の仕切板３２が設けられている。４枚の仕切板３２のうちの隣接するもの同士は、平面視して互いに直交するように配置されている。
【００２５】
４枚の仕切板３２が集められた中央部分には、ねじ受部３３が形成されている。また、ベース部３１の端部における対向する２箇所には、ロックベースねじ止め孔３１Ａが形成されている。ロックベースねじ止め孔３１Ａは、台座２０の台座部２１に形成された台座部ねじ止め孔２１Ａに対応する位置に配置されている。ロックベースねじ止め孔３１Ａと台座部ねじ止め孔２１Ａとの間に図示しないボルトナットが締め付けられることにより、台座２０に対してロックベース３０が固定されて取り付けられる。
【００２６】
ロックプレート４０は、円盤状のキャップ４１を備えている。キャップ４１の下面には、ロックベース３０におけるねじ受部３３にねじ込まれるねじ部４２が設けられている。ねじ受部３３にねじ部４２がねじ込まれることにより、ロックベース３０に対してロックプレート４０が取付可能とされており、ロックベース３０のベース部３１とロックプレート４０のキャップ４１で床パネルを支持可能とされている。
【００２７】
次に、二重床の施工手順について説明する。図４は、二重床の施工手順を説明する図である。二重床を施工する際には、まず、床スラブに対して墨出しを行い、床スラブにおける墨出しした位置に、図４（Ａ）に示すように、支持脚１におけるベース部材１０のベースプレート１１を載置する。こうして、床スラブにベース部材１０を設置する。
【００２８】
床スラブにベース部材１０を載置したら、図４（Ｂ）に示すように、ベース部材１０におけるねじ軸１２に台座２０のスリーブ２２をねじ込む。続いて、ねじ軸１２に対してスリーブ２２を平面視して時計回りまたは反時計回りに回転させて、台座部２１の高さ調整を行う。
【００２９】
台座部２１の高さ調整が済んだら、図４（Ｃ）に示すように、台座部２１の中央に形成された台座開口部２４から接着剤容器５０に収容されている接着剤５１を注入する。台座部２１の台座開口部２４から注入された接着剤５１は、台座２０におけるスリーブ２２とベース部材１０におけるねじ軸１２との間の空間に流入する。スリーブ２２とねじ軸１２との間の空間は、ねじ軸１２の周囲に形成された溝部１３及び貫通孔１５と連通している。
【００３０】
このため、台座部２１の台座開口部２４から注入された接着剤５１は、スリーブ２２とねじ軸１２との間の空間を通過して、溝部１３及びねじ軸開口部１４に流入する。こうして、接着剤５１は、溝部１３を介したねじ軸１２とスリーブ２２の間に浸透するとともに、ねじ軸開口部１４及び貫通孔１５を通ってベースプレート１１の裏面側におけるベースプレート１１と床スラブとの間にまで浸透する。
【００３１】
溝部１３を介したねじ軸１２とスリーブ２２の間に浸透した接着剤５１は、ねじ軸１２に対してスリーブ２２を固定する。こうして、高さ調整された台座２０がベースプレート１１に対して接着剤５１によって固定される。また、ねじ軸開口部１４及び貫通孔１５を通ってベースプレート１１の裏面側に浸透した接着剤５１は、床スラブに対してベースプレート１１を仮固定する。その後、必要によってベースプレートねじ止め孔１１Ａにねじを取り付けて、床スラブにベース部材１０を強固に固定する。こうして、ベース部材１０が床スラブに取り付けられて固定される。
【００３２】
その後、図４（Ｄ）に示すように、台座２０の台座部２１にロックベース３０を固定する。続いて、図示しない床パネルの端部を台座部２１の上に敷き込み、ロックプレート４０におけるねじ部４２をロックベース３０のねじ受部３３にねじ込み、ロックベース３０のベース部３１とロックプレート４０のキャップ４１によって床パネルを挟み込んで締め付ける。こうして、二重床の施工が行われる。
【００３３】
本実施形態に係る二重床の支持脚１においては、支持脚１を床スラブに固定する際、支持脚１の高さ調整が行われ、高さ調整した後、台座２０のスリーブ２２がベース部材１０のねじ軸１２に固定される。このとき、支持脚１においては、ベースプレート１１に立設されたねじ軸１２における外周面にねじ軸１２の軸方向に沿った溝部１３が形成されている。このため、図４（Ｃ）に示すように、ねじ軸１２の頂面から接着剤５１を注入すると、注入した接着剤５１がねじ軸１２の外周面に形成された溝部１３に沿って行き渡り、ねじ軸１２とスリーブ２２の間に浸透する。この接着剤５１によって台座２０がベース部材１０に固定されるので、例えば別途ストップボルトを用いて台座２０をベース部材１０に固定する作業を行わなくて済むようにできる。したがって、作業時に作業者にかかる負担を小さくすることができる。また、溝部１３がねじ軸１２の周方向に離間して複数形成されているので、接着剤５１により、ねじ軸１２に対してスリーブ２２を確実に固定することができる。
【００３４】
また、接着剤を流し込む作業は、ベース部材１０の上方から行うことができる。このため、ストップボルトを施工する際のように、作業者が低くしゃがみこんで作業を行う必要がなくなる。したがって、その分、作業時に作業者にかかる負担をさらに小さくすることができる。さらには、支持構造の施工について、上から下に向けた作業とすることができるので、将来的な自動化施工の対応を可能としやすくすることができる。
【００３５】
また、溝部１３は、ねじ軸１２の頂部から切り欠かれて形成されているので、溝部に接着剤を流し込む作業は、ねじ軸の上方から確実に行うことができる。また、ねじ軸１２及びベースプレート１１には、ねじ軸の軸方向に沿った貫通孔１５が形成されている。このため、貫通孔１５を通じて、ベースプレート１１の裏面側にまで接着剤を行き渡らせることができるので、作業時に作業者にかかる負担をより小さくすることができる。
【００３６】
以上、本発明の好適な実施形態について説明したが、本発明は上記の実施形態に限定されるものではなく、その趣旨を逸脱しない範囲で適宜変更可能である。たとえば、上記の実施形態では、溝部１３がねじ軸１２の外周面に沿って３本形成されているが、溝部は、１本または２本、あるいは４本以上形跡されていてもよい。また、これらの溝部が等間隔ではないように形成されていてもよい。
【００３７】
また、上記の実施形態では、ねじ軸１２に貫通孔１５が形成されているが、貫通孔が形成されていないようにしてもよい。また、溝部１３は、全体的にねじ軸１２の外周面に形成されているが、一部がねじ軸１２の内側に形成され、一部がねじ軸１２の外周面に露出するように形成されていてもよい。
【００３８】
また、上記の実施形態では、支持脚１の上部にロックベース３０及びロックプレート４０が設けられているが、ロックベースやロックプレートが設けられないようにしてもよい。また、上記の実施形態では、ねじ軸１２にスリーブ２２をねじ込むことによって支持脚１の高さ調整が行われているが、ねじ軸１２及びスリーブ２２のようなねじによる高さ調整機構以外の高さ調整機構を用いてもよい。
【符号の説明】
【００３９】
１  （二重床の）支持脚
１０  ベース部材
１１  ベースプレート
１１Ａ  ベースプレートねじ止め孔
１２  ねじ軸
１３  溝部
１４  ねじ軸開口部
１５  貫通孔
２０  台座
２１  台座部
２１Ａ  台座部ねじ止め孔
２２  スリーブ
２３  クッション材
２４  台座開口部
３０  ロックベース
３１  ベース部
３１Ａ  ロックベースねじ止め孔
３２  仕切板
３３  ねじ受部
４０  ロックプレート
４１  キャップ
４２  ねじ部
５０  接着剤容器
５１  接着剤
Ｍ  （二重床の）支持構造
【図１】
2018178473.tif 000003
【図２】
2018178473.tif 000004
【図３】
2018178473.tif 000005
【図４】
2018178473.tif 000006